(57)【要約】【課題】スルー画像の表示輝度を調整できるカメラ等を提供する。【解決手段】カメラ１は、第１のパラメータ（Ａｖ）を除く他のパラメータ（Ｓｖ、Ｔｖ）をその設定許容範囲の上限値及び下限値以外の値に設定（Ｓ１０２、Ｓ１０３）した後に、第１のパラメータ（Ａｖ）を変化させることによってスルー画像の表示輝度を調整する（Ｓ１０４）。また、この第１のパラメータ（Ａｖ）がその設定許容範囲の上限値又は下限値に達した場合には、他のパラメータ（Ｓｖ、Ｔｖ）を変化させてスルー画像の表示輝度を調整する（Ｓ１０６、Ｓ１０８）。【選択図】図３
2008311787.tif 000002
【特許請求の範囲】
【請求項１】
撮像部の出力に基づいて画像データを生成する画像データ生成部と、
前記画像データ生成部の出力に基づくスルー画像を表示可能な表示部と、
前記表示部に前記スルー画像を表示させる際、前記スルー画像を形成する画像データに含まれる輝度情報を変化させることができる複数のパラメータを制御することによって、前記表示部に表示される前記スルー画像の表示輝度を調整する初期設定制御部と
を備えるカメラであって、
前記初期設定制御部は、
前記複数のパラメータのうち、第１のパラメータを除く他のパラメータをその設定許容範囲の上限値及び下限値以外の値に設定する第１設定部と、
前記第１設定部による設定後に、前記第１のパラメータを変化させることによって前記表示輝度を調整する第２設定部と、
前記第２設定部による前記第１のパラメータの設定の結果、前記第１のパラメータがその設定許容範囲の上限値又は下限値に達した場合に、前記他のパラメータを変化させて前記表示輝度を調整する第３設定部とを備えること
を特徴とするカメラ。
【請求項２】
請求項１に記載のカメラにおいて、
前記第１設定部は、前記他のパラメータを前記設定許容範囲の上限値及び下限値以外の値に設定する際、前記他のパラメータに設定可能な複数段のポジションのうち、略中央のポジションに設定すること
を特徴とするカメラ。
【請求項３】
請求項１又は請求項２に記載のカメラにおいて、
前記初期設定制御部による初期設定後に、前記表示部に前記スルー画像を表示させた状態で前記スルー画像を形成する画像データに含まれる前記輝度情報に変化があった場合に、前記他のパラメータを変化させて前記表示輝度を調整する追従制御部を備えること
を特徴とするカメラ。
【請求項４】
請求項１から請求項３までのいずれか１項に記載のカメラにおいて、
前記第１のパラメータは、前記複数のパラメータのうち、前記設定許容範囲内での値の変化によって前記表示輝度を最も変化させることができるものであること
を特徴とするカメラ。
【請求項５】
請求項３に記載のカメラにおいて、
前記他のパラメータには、前記複数のパラメータのうち設定許容範囲内での値の変化によって前記表示輝度を最も変化させることができる第２のパラメータが含まれ、
前記追従制御部は、この第２のパラメータを変化させて前記表示輝度を調整すること
を特徴とするカメラ。
【請求項６】
請求項１から請求項５までのいずれか１項に記載のカメラにおいて、
前記複数のパラメータには、被写体光の光量を制御する絞り部の絞り値、前記撮像部の撮像感度、及び、前記撮像部の撮像蓄積時間が含まれること
を特徴とするカメラ。
【請求項７】
撮像部の出力に基づいて表示部に表示されるスルー画像の表示輝度を、前記スルー画像を形成する画像データに含まれる輝度情報を変化させることができる複数のパラメータを制御することによって調整するスルー画像の表示輝度制御方法であって、
前記複数のパラメータのうち、第１のパラメータを除く他のパラメータをその設定許容範囲の上限値及び下限値以外の値に設定する第１の初期設定工程と、
前記第１の初期設定工程の後に、前記第１のパラメータを変化させることによって前記表示輝度を調整する第２の初期設定工程と、
前記第２の初期設定工程による前記第１のパラメータの設定の結果、前記第１のパラメータがその設定許容範囲の上限値又は下限値に達した場合に、前記他のパラメータを変化させて前記表示輝度を調整する第３の初期設定工程を備えること
を特徴とするスルー画像の表示輝度制御方法。
【請求項８】
請求項７に記載のスルー画像の表示輝度制御方法であって、
前記表示部に前記スルー画像を表示させた状態で前記スルー画像を形成する画像データに含まれる前記輝度情報に変化があった場合に、前記他のパラメータを変化させて前記表示輝度を調整する追従制御工程を備えること
を特徴とするスルー画像の表示輝度制御方法。
【発明の詳細な説明】
【技術分野】
【０００１】
本発明は、カメラ及びスルー画像の表示輝度制御方法に関するものである。
【背景技術】
【０００２】
カメラは、絞りを制御することによって、被写体輝度の変化に応じてスルー画像の表示輝度を調整するものが知られている（例えば、特許文献１参照）。
【特許文献１】特開２００７−６３５８号公報
【発明の開示】
【発明が解決しようとする課題】
【０００３】
しかし、カメラの種類によっては、スルー画像を表示している最中に絞り値を変更することが困難なものがあり、この種のカメラであってもスルー画像の表示輝度を調整できるものが望まれている。
本発明の課題は、スルー画像の表示輝度を調整できるカメラ、及び、スルー画像の表示輝度を調整できるスルー画像の表示輝度制御方法を提供することである。
【課題を解決するための手段】
【０００４】
本発明は、以下のような解決手段により、前記課題を解決する。ここでは、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００５】
請求項１の発明は、撮像部（２１）の出力に基づいて画像データを生成する画像データ生成部（３１）と、前記画像データ生成部の出力に基づくスルー画像を表示可能な表示部（２２）と、前記表示部に前記スルー画像を表示させる際、前記スルー画像を形成する画像データに含まれる輝度情報を変化させることができる複数のパラメータ（Ａｖ、Ｓｖ、Ｔｖ）を制御することによって、前記表示部に表示される前記スルー画像の表示輝度を調整する初期設定制御部（３０）とを備えるカメラであって、前記初期設定制御部は、前記複数のパラメータのうち、第１のパラメータ（Ａｖ）を除く他のパラメータ（Ｓｖ、Ｔｖ）をその設定許容範囲の上限値及び下限値以外の値に設定する第１設定部（３３、３４）と、前記第１設定部による設定後に、前記第１のパラメータを変化させることによって前記表示輝度を調整する第２設定部（３２）と、前記第２設定部による前記第１のパラメータの設定の結果、前記第１のパラメータがその設定許容範囲の上限値又は下限値に達した場合に、前記他のパラメータを変化させて前記表示輝度を調整する第３設定部（３３）とを備えることを特徴とするカメラ（１）である。
【０００６】
請求項２の発明は、請求項１に記載のカメラにおいて、前記第１設定部（３３、３４）は、前記他のパラメータ（Ｓｖ、Ｔｖ）を前記設定許容範囲の上限値及び下限値以外の値に設定する際、前記他のパラメータに設定可能な複数段のポジションのうち、略中央のポジションに設定することを特徴とするカメラ（１）である。
請求項３の発明は、請求項１又は請求項２に記載のカメラにおいて、前記初期設定制御部（３０）による初期設定後に、前記表示部（２２）に前記スルー画像を表示させた状態で前記スルー画像を形成する画像データに含まれる前記輝度情報に変化があった場合に、前記他のパラメータ（Ｔｖ）を変化させて前記表示輝度を調整する追従制御部（３０）を備えることを特徴とするカメラ（１）である。
請求項４の発明は、請求項１から請求項３までのいずれか１項に記載のカメラにおいて、前記第１のパラメータ（Ａｖ）は、前記複数のパラメータのうち、前記設定許容範囲内での値の変化によって前記表示輝度を最も変化させることができるものであることを特徴とするカメラ（１）である。
請求項５の発明は、請求項３に記載のカメラにおいて、前記他のパラメータ（Ａｖ、Ｔｖ）には、前記複数のパラメータのうち設定許容範囲内での値の変化によって前記表示輝度を最も変化させることができる第２のパラメータ（Ａｖ）が含まれ、前記追従制御部（３０）は、この第２のパラメータを変化させて前記表示輝度を調整することを特徴とするカメラ（２）である。
請求項６の発明は、請求項１から請求項５までのいずれか１項に記載のカメラにおいて、前記複数のパラメータには、被写体光の光量を制御する絞り部（１２）の絞り値（Ａｖ）、前記撮像部（２１）の撮像感度（Ｓｖ）、及び、前記撮像部の撮像蓄積時間（Ｔｖ）が含まれることを特徴とするカメラ（１）である。
【０００７】
請求項７の発明は、撮像部（２１）の出力に基づいて表示部（２２）に表示されるスルー画像の表示輝度を、前記スルー画像を形成する画像データに含まれる輝度情報を変化させることができる複数のパラメータ（Ａｖ、Ｓｖ、Ｔｖ）を制御することによって調整するスルー画像の表示輝度制御方法であって、前記複数のパラメータのうち、第１のパラメータ（Ａｖ）を除く他のパラメータ（Ｓｖ、Ｔｖ）をその設定許容範囲の上限値及び下限値以外の値に設定する第１の初期設定工程（Ｓ１０２、Ｓ１０３）と、前記第１の初期設定工程の後に、前記第１のパラメータを変化させることによって前記表示輝度を調整する第２の初期設定工程（Ｓ１０４）と、前記第２の初期設定工程による前記第１のパラメータの設定の結果、前記第１のパラメータがその設定許容範囲の上限値又は下限値に達した場合に、前記他のパラメータを変化させて前記表示輝度を調整する第３の初期設定工程（Ｓ１０６、Ｓ１０８）を備えることを特徴とするスルー画像の表示輝度制御方法である。
請求項８の発明は、請求項７に記載のスルー画像の表示輝度制御方法であって、前記表示部（２２）に前記スルー画像を表示させた状態で前記スルー画像を形成する画像データに含まれる前記輝度情報に変化があった場合に、前記他のパラメータ（Ｓｖ、Ｔｖ）を変化させて前記表示輝度を調整する追従制御工程（Ｓ２０５）を備えることを特徴とするスルー画像の表示輝度制御方法である。
【発明の効果】
【０００８】
本発明によれば、スルー画像の表示輝度を調整できるカメラ、及び、スルー画像の表示輝度を調整できるスルー画像の表示輝度制御方法を提供することができる。
【発明を実施するための最良の形態】
【０００９】
以下、図面を参照して、本発明を適用したカメラ及びスルー画像の表示輝度制御方法の実施形態をあげて、さらに詳しく説明する。
【００１０】
［第１実施形態］
図１は、第１実施形態のカメラの構成を示すブロック図である。
カメラ１は、レンズ鏡筒１０と、このレンズ鏡筒１０が着脱可能に装着されるカメラ本体２０とを備えた一眼レフデジタルカメラである。
レンズ鏡筒１０は、撮影レンズ１１、撮影レンズ１１を通過する被写体光の光量を調節する絞り部１２、及び、カメラ本体２０に備えられた後述する通信部２４と双方向通信を行う通信部１３を備えている。
絞り部１２は、例えば、複数の絞り羽根を備えた公知の光彩絞りであり、カメラ本体２０に備えられたレバーＬに連動して口径が変化し、これによって被写体光の光量が変化するようになっている。
【００１１】
カメラ本体２０は、撮像部２１、表示部２２、操作部２３、通信部２４、ＡＦ（オートフォーカス）センサ２５、ＡＥ（自動露出）センサ２６、及び、制御部３０を備えている。
【００１２】
撮像部２１は、撮影レンズ１１を通過した被写体光を電気信号に変換して出力する光電変換素子を備えている。撮像部２１には、例えば、ＣＣＤ（Charge Coupled Device）等を使用することができる。
【００１３】
表示部２２は、撮影済みの画像や、各種設定を行うメニュー画面を表示する部分であり、カメラボディの背面に設けられた背面液晶表示パネル等を含んでいる。
ここで、本実施形態のカメラ１は、フレーミング時（被写体構図決定時）の撮像部２１の出力に基づく画像を、略リアルタイムで表示部２２に表示させる機能を有している。以下、本明細書において、このような機能をライブビュー機能と称して説明する。また、このライブビュー機能を用いて撮影を行う際に表示部２２に表示される構図決定用の画像をスルー画像と称して説明する。
【００１４】
操作部２３は、シャッタボタン、メニューボタン、コマンドダイヤル等（ともに図示を省略する）を含んでいる。シャッタボタンは、そのストローク量の半分程度まで押圧する半押し操作、又は、ストローク量の全量まで押圧する全押し操作の２パターンの操作が可能になっている。
メニューボタンは、撮影者が表示部２２にメニュー画面を表示させる際に操作する部分である。撮影者は、表示部２２にメニュー画面を表示した状態でコマンドダイヤルを操作することによって、例えば、撮像部２１の撮像感度や、図示しない公知のシャッタユニット（シャッタ羽根（先幕、後幕）を含む）のシャッタスピード等の設定を行うことができるようになっている。
【００１５】
ＡＦセンサ２５は、撮影レンズ１１を通過した被写体光を受光する一組のセンサを備えている。カメラ１は、不図示のＡＦ制御部がこれらのセンサの出力に基づいて撮影レンズ１１を駆動して主要被写体等に合焦させる公知の位相差検出ＡＦを行う。
ＡＥセンサ２６は、撮影レンズ１１を通過した被写体光を受光するイメージセンサを備えている。カメラ１は、このイメージセンサの出力に基づいて被写体の色情報や輝度情報等を取得するようになっている。
【００１６】
制御部３０は、カメラ本体２０に備えられた各電気要素を統括的に制御する部分であり、ＲＩＳＣ（Reduced Instruction Set Computer）等の演算装置を備えている。また、制御部３０は、撮像部２１から出力された電気信号に基づいて画像データを生成する画像データ生成部３１を備えている。
【００１７】
ここで、カメラ１は、フレーミング中に構図を変化させたときに被写体輝度が急激に変化することがある。このとき、露出条件が固定されていると、表示部２２に表示されるスルー画像の視認性が低下する可能性がある。
本実施形態のカメラ１は、画像データに含まれる輝度情報を変化させることができる複数のパラメータを適宜制御することによって、この画像データによって形成されるスルー画像の輝度値Ｂｖ（Brightness value）を調整する。カメラ１は、これによって、被写体輝度が変化した場合であっても、表示部２２に表示されるスルー画像の視認性の低下を防止するようになっている。
【００１８】
本実施形態において、輝度値Ｂｖを調整することができるパラメータには、絞り部１２の絞り値Ａｖ（Aperture value）、撮像部２１の撮像蓄積時間Ｔｖ（Time value）、及び、撮像部２１の撮像感度Ｓｖ（Speed value）が含まれる。本明細書において、撮像蓄積時間Ｔｖとは、前述のシャッタユニット（不図示）によって設定されるシャッタスピードを示すものではなく、撮像部２１における被写体光を蓄積する時間（換言すれば、撮像部自身における電子シャッタ時間）を意味するものとする。
制御部３０は、絞り値Ａｖの設定を行う絞り設定部３２、撮像蓄積時間Ｔｖの設定を行う撮像蓄積時間設定部３３、及び、撮像感度Ｓｖの設定を行う感度設定部３４を備えている。
【００１９】
絞り設定部３２は、レンズ鏡筒１０に備えられた絞り部１２の絞り値Ａｖを所定の設定許容範囲内で設定する。撮像蓄積時間設定部３３は、ライブビュー時における撮像部２１に対する撮像蓄積時間Ｔｖを所定の設定許容範囲内で設定する。感度設定部３４は、ライブビュー時における撮像部２１の撮像感度Ｓｖを所定の設定許容範囲内で設定する。制御部３０は、これらの各設定部で設定した設定値に基づいてレバーＬ及び撮像部２１に命令を発して露出条件を制御する。
【００２０】
次に、第１実施形態のカメラ１が行うライブビューモードでの撮影制御について、フローチャートを用いてステップ毎に説明する。
図２は、図１に示すカメラを用いた撮影手順を示すフローチャートである。
【００２１】
（ステップＳ０１：Ｂｖ値算出）
撮影者によってライブビューモードが選択されると、制御部３０は、ＡＥセンサ２６の出力に基づいて被写体の輝度値Ｂｖを算出してステップＳ０２に進む。
【００２２】
（ステップＳ０２：シャッタボタン半押し検出）
制御部３０は、操作部２３に備えられたシャッタボタンの半押し操作を検出した場合、これに応じてステップＳ０３に進みＡＦ制御を行う。これに対し、シャッタボタンの半押し操作が検出されない場合は、ステップＳ０１に戻り、以降の処理を繰り返す。
【００２３】
（ステップＳ０３：ＡＦ制御）
制御部３０は、ＡＦセンサ２５の出力に基づいて撮影レンズ１１を駆動し、撮影レンズ１１の合焦を行う（ステップＳ０４に進む）。
【００２４】
（ステップＳ０４：シャッタボタン全押し検出）
制御部３０は、シャッタボタンの全押し操作を検出した場合、これに応じてステップＳ０５に進み、シャッタボタンの全押し操作が検出されない場合は、ステップＳ０１に戻り、以降の処理を繰り返す。
【００２５】
（ステップＳ０５：直前の輝度値Ｂｖ送信）
シャッタボタンの全押し操作を検出する直前の輝度値Ｂｖが制御部３０に送信され、制御部３０は、この輝度値Ｂｖを記憶してステップＳ０６に進み、スルー画像の表示準備（ライブビュー準備）を開始する。
【００２６】
（ステップＳ０６：ライブビュー準備動作）
制御部３０は、カメラ本体２０に備えられたミラーユニットをミラーアップ制御するとともに、シャッタユニットを開位置に駆動し、撮像部２１に被写体光を露光する（クイックリターンミラー及びシャッタユニットは、それぞれ図示を省略する）。撮像部２１は、被写体光を電気信号に変換して出力し、画像データ生成部３１がこの電気信号に基づいて画像データを生成する（ステップＳ０７に進む）。
【００２７】
（ステップＳ０７：ライブビュー制御）
制御部３０は、ライブビューモードにおいて、表示部２２に表示されるスルー画像の視認性を損なわないように、被写体輝度が変化した場合にはこれに応じて略リアルタイムでスルー画像の表示輝度が適正となるように調整する。このライブビュー制御については、後に詳しく説明する。
【００２８】
（ステップＳ０８：シャッタボタン半押し検出）
制御部３０は、ライブビュー中にシャッタボタンの半押し操作を検出するとステップＳ０８ａ〜Ｓ０８ｃに進み、スルー画像の表示を中断して再度ＡＦ制御を行う。ステップＳ０８ａでは、表示部２２の消灯、ミラーダウン、シャッタユニットの閉位置への駆動等が行われ（ステップＳ０８ａ）、ステップＳ０８ｂでは、ステップＳ０３と同様のＡＦ制御が行われる（ステップＳ０８ｂ）。また、ＡＦ制御後は、ステップＳ０６と同様のライブビュー準備動作を行い（ステップＳ０８ｃ）、この後、ステップＳ０９に進む。
シャッタボタンの半押し操作が検出されない場合も、制御部３０は、ステップＳ０９に進む。
【００２９】
（ステップＳ０９：コマンドダイヤル操作検出）
制御部３０は、ライブビュー実行中（スルー画像表示中）にコマンドダイヤルの操作を検出すると、ステップＳ０９ａに進み、これに応じた撮影条件の変更を行う。コマンドダイヤルの操作が、例えば、絞り値Ａｖの変更を目的とするものである場合には、絞り値Ａｖを変更し、シャッタスピードの変更を目的とするものである場合には、シャッタユニットのシャッタスピードを変更させる制御を行ってステップＳ１０に進む。変更後のシャッタスピードは、ステップＳ１３の撮影動作時に反映される。
制御部３０は、コマンドダイヤルの操作が検出されない場合には、ステップＳ１０に進む。
【００３０】
（ステップＳ１０：メニューボタン操作検出、時間オーバー）
制御部３０は、メニューボタンの操作を検出した場合には、表示部２２の表示画面をメニュー画面に変更し、ステップＳ１５に進んで、ライブビューモードを終了させる。
また、本実施形態のカメラ１のライブビューモードは、スルー画像の表示時間が限定されている。これは、例えば、長時間露光に起因した撮像部２１の加熱によるダメージを防止するためである。制御部３０は、所定の設定時間が経過した場合には、ステップＳ１５に進んでライブビューモードを終了させる。
【００３１】
（ステップＳ１１：シャッタボタン全押し検出）
制御部３０は、シャッタボタンの全押し操作を検出した場合には、ステップＳ１２に進んで撮影準備制御を行う。シャッタボタンの全押し操作を検出しない場合、制御部３０は、ステップＳ０７に戻って以降の処理を繰り返す。
【００３２】
（ステップＳ１２：ライブビュー中断）
制御部３０は、ステップＳ０８ａと同様の制御を行ってスルー画像の表示を中断する（ステップＳ０１３に進む）。
【００３３】
（ステップＳ１３：撮影動作）
制御部３０は、ミラーアップ動作と併せて、シャッタユニットを駆動して設定された露光時間、被写体光を撮像部２１に露光する。
【００３４】
（ステップＳ１４：連写操作検出）
制御部３０は、シャッタボタンの全押し状態が継続されていることを検出した場合には、ステップＳ１３に戻って撮影動作を繰り返し、連続撮影（連写）を行う。
シャッタボタンの全押し状態が終了したことを検出した場合、制御部３０は、ステップＳ１５に進む。
【００３５】
（ステップＳ１５：ライブビューリセット）
撮影動作が終了すると制御部３０は、ステップＳ０８ａと同様の制御を行ってスルー画像の表示をオフとし、ステップＳ０１に戻って以降同様の制御を繰り返す。
【００３６】
次に、制御部３０がステップＳ０７で行うライブビュー制御について説明する。
図３及び図４は、第１実施形態の制御部がライブビューモードにおいて行う露出条件の演算手順を示すフローチャートである。
図３及び図４のうち、図３は、カメラの電源オン後における初回又は絞り値Ａｖをリセットした後におけるスルー画像の表示制御を示し、図４は、ライブビュー実行中におけるスルー画像の表示制御を示している。
【００３７】
まず、図３に示す初回又は絞り値Ａｖのリセット後におけるスルー画像の表示制御について説明する。この図３に示す制御は、スルー画像を表示部２２に表示する前段階で行う初期設定工程であり、制御部３０は、初期設定制御部として機能する。
［ＬＢｖ算出］
（ステップＳ１０１：ＬＢｖ決定）
制御部３０は、ステップＳ０５（図２参照）において記憶した直前の輝度値Ｂｖに基づいて、ライブビューモードにおける輝度値ＬＢｖを決定する。
【００３８】
［露出条件の演算］
制御部３０は、ステップＳ１０１において決定した輝度値ＬＢｖが得られるように、絞り値Ａｖ、撮像蓄積時間Ｔｖ、及び、撮像感度Ｓｖの３つのパラメータを適宜変更することによって露出条件を演算する。
図５は、第１実施形態の制御部がライブビューモードにおいて行う露出条件の演算手順を説明する図である。
【００３９】
（ステップＳ１０２：撮像蓄積時間Ｔｖ仮決め）
制御部３０は、まず、撮像蓄積時間設定部３３によって撮像蓄積時間Ｔｖの値を、例えば、１／５０秒に設定する（図５（Ａ）参照）。この設定は、露出条件の演算のために行う仮設定（仮決め）であり、実際の撮像蓄積時間Ｔｖの変更は、後述するステップＳ１０９で行う。
本実施形態の撮像部２１は、撮像蓄積時間（電子シャッタ秒時）Ｔｖを、例えば、１／３０秒から１／８０００秒の間で、例えば、１／３段ステップで変更できるように複数段のポジションが設定されている。ただし、撮像蓄積時間Ｔｖを極端に短くするとスルー画像の視認性が低下する可能性があるので、ライブビュー実行中の撮像蓄積時間Ｔｖは、１／３０秒（下限）から１／１００秒（上限）の間を設定許容範囲としている。撮像蓄積時間Ｔｖを１／５０秒とする場合、撮像蓄積時間Ｔｖは、設定許容範囲の中間のポジションに設定される。
【００４０】
（ステップＳ１０３：撮像感度Ｓｖ仮決め）
制御部３０は、次いで、感度設定部３４によって撮像部２１の撮像感度Ｓｖの値を、例えば、ＩＳＯ８００に設定する（図５（Ｂ）参照）。この設定も露出条件の演算のための仮設定であり、実際の撮像感度Ｓｖの変更は、後述するステップＳ１０９で行う。
撮像感度Ｓｖは、例えば、ＩＳＯ１００（下限）からＩＳＯ１６００（上限）までの間で、例えば、１段ステップで変更できるように複数段のポジションが設定されており、ＩＳＯ８００は、この複数段のポジションのうちの中間のポジションである。以上のステップＳ１０２及びＳ１０３は、第１の初期設定工程であり、撮像蓄積時間設定部３３及び感度設定部３４は第１設定部として、撮像蓄積時間Ｔｖ及び撮像感度Ｓｖは、他のパラメータとしてそれぞれ機能する。
【００４１】
（ステップＳ１０４：絞り値Ａｖ算出）
この後、制御部３０は、ステップＳ１０１で決定した輝度値ＬＢｖが得られるように、絞り設定部３２によって絞り値Ａｖを、例えば、Ｆ値が２．８〜３２の間でシフトさせる（図５（Ｃ）参照）。このステップＳ１０４は、第２の初期設定工程であり、絞り設定部３２は、第２設定部として、絞り値Ａｖは、第１のパラメータとしてそれぞれ機能する。絞り値Ａｖは、前述の３つのパラメータのうち、設定許容範囲における値の変化によって輝度値ＬＢｖを最も変化させることができるものである。
【００４２】
（ステップＳ１０５：ΔＬＢｖ演算）
ステップＳ１０２〜Ｓ１０４において設定した撮像蓄積時間Ｔｖ、撮像感度Ｓｖ、及び、絞り値Ａｖに基づいて算出される輝度値ＬＢｖと、ステップＳ１０１で決定した輝度値ＬＢｖとの差分ΔＬＢｖをゼロにできた場合、すなわち、絞り値Ａｖの調整によって（図５（Ｃ）参照）差分ΔＬＢｖをゼロにすることに成功した場合は、ステップＳ１０９に進む。
これに対し、ステップＳ１０４において絞り値Ａｖを設定許容範囲の上限値、又は、下限値としても（絞り値Ａｖを上下に振って調整しても）ΔＬＢｖをゼロにできない場合は、ステップＳ１０６に進む。
なお、この絞り値Ａｖが、本フローにおいてライブビュー表示輝度（表示部における表示輝度）を調整するための最初に調整されるパラメータとなる。
【００４３】
（ステップＳ１０６：Ｓｖシフト）
絞り値Ａｖが設定許容範囲の上限値（図５（Ｄ）参照）、又は、下限値となっているので、制御部３０は、感度設定部３４によってΔＬＢｖがゼロとなるように撮像感度Ｓｖをシフトさせる（ステップＳ１０７に進む）。
【００４４】
（ステップＳ１０７：ΔＬＢｖ演算）
ステップＳ１０２において設定した撮像蓄積時間Ｔｖ、ステップＳ１０４において設定した絞り値Ａｖ、及び、ステップＳ１０６において設定した撮像感度Ｓｖに基づいて算出される輝度値ＬＢｖと、ステップＳ１０１で決定した輝度値ＬＢｖの差分ΔＬＢｖをゼロにできた場合は、ステップＳ１０９に進む。
これに対し、撮像感度Ｓｖを設定許容範囲の上限値、又は、下限値としてもΔＬＢｖがゼロとならない場合は、ステップＳ１０８に進む。
【００４５】
（ステップＳ１０８：Ｔｖシフト）
絞り値Ａｖ及び撮像感度Ｓｖが設定許容範囲の上限値、又は、下限値となっているので、制御部３０は、撮像蓄積時間設定部３３によって撮像蓄積時間Ｔｖをシフト（図５（Ｅ））させ、ΔＬＢｖをゼロにする。このときの撮像蓄積時間Ｔｖのシフト量は、ステップＳ１０２で設定した許容設定範囲よりも広く、撮像蓄積時間Ｔｖは、例えば、１／３０秒から１／８０００秒の間でシフトされる。これは、ステップＳ１０４、Ｓ１０６ですでに絞り値Ａｖ、撮像感度Ｓｖが上限値又は下限値となっており、他に輝度値Ｂｖを調整できるパラメータがないからである。制御部３０は、これによって、ΔＬＢｖをゼロとし、以上のステップＳ１０６及びＳ１０８は、第３の初期設定工程として機能する。また、撮像蓄積時間設定部３３及び感度設定部３４は、第３設定部としても機能する。
なお、上述の図５（Ｅ）は、高輝度の被写体像を撮像してライブビュー表示を行っている場合における一設定例を示すものである。
【００４６】
［露出制御］
（ステップＳ１０９：露出制御）
制御部３０は、ステップＳ１０２〜Ｓ１０８で設定した撮像蓄積時間Ｔｖ（ステップＳ１０２又はステップＳ１０８）、撮像感度Ｓｖ（ステップＳ１０３又はステップＳ１０６）、及び、絞り値Ａｖ（ステップＳ１０４）に基づいて、絞り部１２、撮像部２１をそれぞれ制御し、表示部２２には、この露出制御に応じた輝度のスルー画像が表示される（図２のステップＳ０８に進む）。
【００４７】
次に、図４に示すカメラの電源オン後における２回目以降のスルー画像の表示輝度制御について説明する。なお、ここでは、図３のフローチャートにおいて、ステップＳ１０４の絞り値Ａｖの調整で、ΔＬＢｖをゼロにすることができた場合の処理（その場合の２回目以降のスルー画像の表示輝度調整）について説明する。
この制御は、ライブビュー実行中に表示部２２にスルー画像が表示された状態で行う表示輝度調整制御である。
【００４８】
［ＬＢｖ算出、ＡＷＢ演算］
（ステップＳ２０１：画像取り込み）
ＡＥセンサ２６は、ミラーアップがされたライブビュー実行中には受光ができなくなっており、ライブビュー実行中は、撮像部２１の出力に基づいて被写体の輝度値ＬＢｖを判定する。
【００４９】
（ステップＳ２０２：ＬＢｖ決定）
制御部３０は、ライブビュー実行中に画像データ生成部３１が生成する画像データに含まれる輝度情報に基づいて被写体の輝度値ＬＢｖを判定する。ライブビュー実行中に被写体の輝度値ＬＢｖが変化した場合、制御部３０は、略リアルタイムで変化後の輝度値ＬＢｖを判定するようになっている。
（ステップＳ０３：ＷＢ演算）
制御部３０は、画像データに含まれる色情報に基づいて公知のホワイトバランス調整を行う。
【００５０】
［露出条件の演算］
（ステップＳ２０４：ΔＬＢｖ算出）
図３に示すフローチャートのステップＳ１０９において設定した露出条件に基づく輝度値ＬＢｖと、ステップＳ２０２において決定した輝度値ＬＢｖとの差分ΔＬＢｖがゼロである場合には、ステップＳ２０７に進み、図３のステップＳ１０９において設定されている撮像蓄積時間Ｔｖで撮像蓄積時間Ｔｖを制御してライブビューの撮影動作を行う。その後で、処理を終了し、ステップＳ２０１以降の処理を繰り返す。
これに対し、差分ΔＬＢＶがゼロとならない場合には、制御部３０は、ステップＳ２０５に進む。
（ステップＳ２０５：Ｔｖシフト）
図３に示すフローチャートのステップＳ１０４において、絞り値Ａｖが上限値又は下限値に接近している可能性が高く、かつ、ステップＳ１０８において撮像蓄積時間Ｔｖをシフトさせた可能性が低いため（通常は、ステップＳ１０４（図５（Ｃ））のＡｖシフトでΔＬＢｖをゼロとできるため）、このステップＳ２０５では、図５（Ｆ）に示すように、撮像蓄積時間Ｔｖをシフトさせることによって、差分ΔＬＢｖをゼロにする。なお、この図５（Ｆ）は、ステップＳ１０４（図５（Ｃ）参照）における絞り値ＡｖのシフトによってΔＬＢｖをゼロにできた場合、すなわち、ステップＳ１０６のＳｖシフト（図５（Ｄ））、及び、ステップＳ１０８のＴｖシフト（図５（Ｅ））を行うことなくライブビューを開始した場合を示している。
一例を説明すると、ライブビュー実行中に被写体輝度が低下した場合（暗くなった場合）、制御部３０は、撮像蓄積時間Ｔｖを長くする制御を行う。撮像蓄積時間Ｔｖが長くなるとより多くの光が露光されるので、スルー画像の表示輝度が上昇する（明るくなる）。このときの撮像蓄積時間Ｔｖの設定許容範囲は、ステップＳ１０２と同様に、１／３０秒〜１／１００秒の範囲となっている。
【００５１】
（ステップＳ２０６：ΔＬＢｖ算出）
ステップＳ２０５において設定した撮像蓄積時間Ｔｖ、ステップＳ１０４において設定した絞り値Ａｖ、及び、ステップＳ１０３又はＳ１０６において設定した撮像感度Ｓｖに基づいて算出される輝度値ＬＢｖと、ステップＳ２０１で決定した輝度値の差分ΔＬＢｖがゼロである場合は、ステップＳ２０７に進む。
これに対し、撮像蓄積時間Ｔｖを設定許容範囲の上限値、又は、下限値としてもΔＬＢｖがゼロとならない場合は、各パラメータをリセットし、図３に示すフローチャートのステップＳ１０２に戻り、露出条件の演算を最初からやり直す。
【００５２】
（ステップＳ２０７：撮像蓄積時間Ｔｖ制御）
撮像蓄積時間ＴｖをステップＳ２０５において設定したポジションにシフトさせる。これによって露出条件が変化し、ライブビューモードにおけるスルー画像の表示輝度が被写体輝度の変化に関わらず略一定に保たれる。以上のステップＳ２０４〜Ｓ２０７は、追従制御工程として機能する。
【００５３】
以上説明した第１実施形態のカメラ１によれば、以下の効果を得ることができる。
（１）ライブビューモードにおいて、絞り値Ａｖ、撮像感度Ｓｖ、及び、撮像蓄積時間Ｔｖの３つのパラメータを用いてスルー画像の表示輝度の調整を行うので、例えば、絞り値Ａｖのみによって表示輝度の調整を行う場合に比べて、より大きな輝度値の変化に対応できる。
また、スルー画像の表示輝度をもっとも大きく変化させることができる絞り値Ａｖをシフトさせることによって初期設定を行うので、ライブビュー実行前に確実に差分ΔＬＢｖをゼロにすることができる。
（２）絞り部１２は、その機械的な構造によってライブビューモードにおいて絞り値Ａｖを変更できない場合がある。これに対し、第１実施形態のカメラ２は、３つのパラメータでスルー画像の表示輝度の初期設定を行いつつ、ライブビュー実行中は、これらの３つのパラメータのうち、撮像蓄積時間Ｔｖのみを変化させるので、スルー画像の視認性を確保しつつスルー画像の表示輝度を適正に調整することができる。
【００５４】
［第２実施形態］
次に、本発明を適用したカメラ及びスルー画像の表示輝度制御方法の第２実施形態について説明する。この第２実施形態において、上述した第１実施形態と同様な機能を果たす部分には、同一の符号又は末尾に統一した符号を付して、重複する説明や図面を適宜省略する。
【００５５】
第２実施形態のカメラ２は、ライブビューモードでの露出制御を行う際（第１実施形態のステップＳ１０２〜Ｓ１０８）に制御するパラメータ（Ａｖ、Ｔｖ、Ｓｖ）の設定順序が異なる以外は、第１実施形態のカメラ１と同様の制御を行う。
以下、第２実施形態のカメラ２に備えられた制御部１３０が行うライブビューモードでの露出制御を説明する（カメラ２及び制御部１３０は、図示を省略する）。
【００５６】
図６は、第２実施形態の制御部がライブビューモードにおいて行う露出条件の演算手順を説明する図であり、第１実施形態の図５に相当する図である。
第１実施形態では、ステップＳ１０２で撮像蓄積時間Ｔｖを、ステップＳ１０３で撮像感度Ｓｖをそれぞれ設定許容範囲の中央のポジションに仮決めしたのに対し、第２実施形態では、図６（Ａ）、（Ｂ）に示すように、まず絞り値Ａｖと撮像蓄積時間Ｔｖとをそれぞれ設定範囲の中央のポジションに仮決めする（第１の初期設定工程）。
【００５７】
そして、この状態で図６（Ｃ）に示すように、撮像感度Ｓｖをシフトさせることによって、ΔＬＢｖがゼロとなるように撮像感度Ｓｖの値を設定する（第２の初期設定工程）。
これによって、ΔＬＢｖをゼロにできない場合は、図６（Ｄ）に示すように、撮像蓄積時間Ｔｖをシフトし、これによっても、ΔＬＢｖをゼロにできない場合は、図６（Ｅ）に示すように、絞り値Ａｖを適宜シフトさせてΔＬＢｖをゼロにする（第３の初期設定工程）。
以上の図６（Ａ）〜（Ｅ）に示す制御は、初期設定制御（ライブビュー表示を最初に行うときの制御）であり、絞り値Ａｖ及び撮像蓄積時間Ｔｖは、他のパラメータとして機能する。また、撮像感度Ｓｖは、第１のパラメータとして機能する。
【００５８】
そして、ライブビューモードにおけるフレーミング中に被写体輝度が変化した場合、第１実施形態では、撮像蓄積時間Ｔｖをシフトさせて追従制御を行ったのに対し、第２実施形態では、図６（Ｆ）に示すように、絞り値Ａｖをシフトさせて追従制御を行う。この絞り値Ａｖは、第２のパラメータとして機能する。なお、この図６（Ｆ）は、図６（Ｃ）における絞り値ＳｖのシフトによってΔＬＢｖをゼロにできた場合、すなわち、図６（Ｄ）のＴｖシフト、及び、図６（Ｅ）のＡｖシフトを行うことなくライブビューを開始した場合を示している。
【００５９】
以上説明した第２実施形態のカメラによれば、以下の効果を得ることができる。
（１）ライブビューモードにおいて、絞り値Ａｖ、撮像感度Ｓｖ、及び、撮像蓄積時間Ｔｖの３つのパラメータを用いてスルー画像の表示輝度の調整を行うので、例えば、絞り値Ａｖのみによって表示輝度の調整を行う場合に比べて、より大きな輝度値の変化に対応できる。
また、スルー画像の表示輝度をもっとも大きく変化させることができる絞り値Ａｖをシフトさせることによってライブビュー実行中の表示輝度を制御するので、ライブビュー実行中の被写体輝度の変化に確実に追従することができる。
（２）撮像部２１の種類によっては、ライブビューモードにおいて撮像蓄積時間Ｔｖを変化させると、蛍光灯等のフリッカ光源の影響によって、スルー画像の視認性が低下する可能性がある。また、ライブビューモードにおいて撮像感度Ｓｖを変化させると、撮像部２１がリセットされて、スルー画像の表示が一時的に中断される場合がある。
これに対し、第２実施形態のカメラ２は、３つのパラメータでスルー画像の表示輝度の初期設定を行いつつ、ライブビュー実行中は、これらの３つのパラメータのうち、絞り値Ａｖのみを変化させるので、スルー画像の視認性を確保しつつスルー画像の表示輝度を適正に調整することができる。
【００６０】
［変形形態］
本発明は、以上説明した実施形態に限定されることなく、種々の変形や変更が可能であって、それらも本発明の技術的範囲内である。
（１）実施形態は、３つのパラメータを適宜組み合わせてスルー画像の表示輝度を制御したが、パラメータの数はこれに限られず、２つでも、４つ以上でもよい。また、パラメータの種類も、実施形態に記載したものに限られない。
（２）実施形態では、追従制御工程において絞り値（第１実施形態）又は撮像蓄積時間（第２実施形態）をシフトさせたが、これに限らず、２つ以上のパラメータをシフトさせることによって、追従制御を行ってもよい。
（３）実施形態の表示部は、カメラ本体の背面液晶装置であったが、表示部はこれに限らず、例えば、公知のＥＶＦ（Electronic View Finder）装置に備えられた表示装置であってもよい。
（４）実施形態は、撮影用の撮像部を用いてライブビュー用の画像データを生成したが、これに限らず、ライブビュー専用の撮像部を設けてもよい。
【図面の簡単な説明】
【００６１】
【図１】第１実施形態のカメラの構成を示すブロック図である。
【図２】図１に示すカメラを用いた撮影手順を示すフローチャートである。
【図３】第１実施形態の制御部がライブビューモードにおいて行う露出条件の演算手順を示すフローチャートである。
【図４】第１実施形態の制御部がライブビューモードにおいて行う露出条件の演算手順を示すフローチャートである。
【図５】第１実施形態の制御部がライブビューモードにおいて行う露出条件の演算手順を説明する図である。
【図６】第２実施形態の制御部がライブビューモードにおいて行う露出条件の演算手順を説明する図である。
【符号の説明】
【００６２】
１  カメラ  ：  ２０  カメラ本体  ：  ２１  撮像部  ：  ２２  表示部  ：  ３０  制御部  ：  ３１  画像データ生成部  ：  ３２  撮像蓄積時間設定部  ：  ３３  感度設定部  ：  ３４  絞り設定部
【図１】
2008311787.tif 000003
【図２】
2008311787.tif 000004
【図３】
2008311787.tif 000005
【図４】
2008311787.tif 000006
【図５】
2008311787.tif 000007
【図６】
2008311787.tif 000008